(57)【要約】【課題】これまで使用済みのティッシュぺーパーを投棄するゴミ箱は部屋の目立たない片隅や物陰に置かれておるため、いちいち立って捨てに行ったり、投げ捨てた場合は上手くゴミ箱に入らず、また拾いに行くというような煩わしさがあった。【解決手段】本案はゴミ箱の蓋をティッシュボックスを載置した支持体にすることで、使用済みティッシュペーパーはその場で投棄でき、また形状もコンパクトになるので、食卓や机、テーブルの上のおいて利用出来る・【選択図】図２
2012148901.tif 000002
【特許請求の範囲】
【請求項１】
上部が開放された箱状で内部にゴミを収容することが出来るゴミ箱Ａと、ティッシュペーパーを収納したティッシュボックスを載置出来て該ゴミ箱Ａと略等しい平面積を有し該ゴミ箱Ａの上部において水平に係着される支持体Ｂにおいて、支持体Ｂはティッシュボックスの略１／５を緩嵌する５面の箱状部Ｃとゴミ箱Ａの左右及び前面の壁に係着する３面とティッシュボックスを受ける１５ミリから２０ミリ程度の幅面以外は開口された底面の４面の箱状部Ｄからなり、箱状部ＣとＤの底面の境界部に長手方向の折り目が設けられており、ゴミ箱Ａには支持体Ｂの箱状部Ｄ部をゴミ箱Ａの前面及び左右の面に係着させたまま箱状部Ｃ部を当該折り目でティッシュボックスを緩嵌したまま略７５度まで傾斜出来てその位置で係止出来るように逃げ部と受け部を設けた後面を持つ、ことを特徴とするティッシュボックス支持体付きゴミ箱。
【発明の詳細な説明】
【技術分野】
【０００１】
この発明は、上部が開放する箱状で、開閉する面にティッシュボックスを載置出来る支持体を備えたゴミ箱に関する。
【背景技術】
【０００２】
安価で便利なティッシュボックスは身近に側に置いて頻繁に使われているが、一方、使用済みのペーパーを捨てるゴミ箱は、スペースが必要なこともあり、部屋の片隅や隠れた場所に置かれていて不便である。
【０００３】
これに対して、ティッシュボックスを収納するケースとゴミ箱とを一体に形成した、ティッシュペーパー箱収納部付きゴミ箱を提供するものとして特許文献がある。
【先行技術文献】
【特許文献】
【０００４】
【特許文献１】特許文献４０７９４５０
【非特許文献】
【０００５】
【非特許文献１】実用新案登録第３１２４８８０号
【発明の概要】
【発明が解決しようとする課題】
【０００６】
しかしながら、上記特許文献に記載されているものは、ティッシュボックスケースの他にゴミ箱を必要とし、また、ゴミ投入口を出没させる構造に掛かる製作費用が大きくなる。本発明は、箱状のゴミ箱において開閉する面にティッシュボックスを載置する蓋を設ける事でティッシュボックスをゴミ箱と一体化させるものである。
【課題を解決するための手段】
【０００７】
ティッシュボックスを載置する支持体Ｂを、略等しい平面積のゴミ箱Ａの上部に図１のように水平に載置し、ティッシュボックス毎支持体Ｂの一部を片方へ傾斜させて図２の４のようにゴミ箱Ａ上面に投入口を現わし、ゴミ投入後は傾斜を水平に戻して蓋をする。本発明は、以上の形状と機能を持つゴミ箱である。
【発明の効果】
【０００８】
ゴミ箱Ａ上部に水平に載置したティッシュボックスからペーパーを取り出し、使用後はティッシュボックス毎支持体Ｂの側端を軽く押して傾斜させゴミ投入口を現わし、投入後は傾斜しているティッシュボックス毎支持体Ｂを元に戻して蓋をするので、少ない設置面積で身体を移動することなく一体で使用できる。また簡素な形態である事から製作費用が少なくて済む。
【図面の簡単な説明】
【０００９】
【図１】全体の斜視図を示す。
【図２】ティッシュボックス毎支持体Bを開けてゴミ投入の状況を示す。
【図３】ゴミ箱Aの斜視図を示す。
【図４】支持体Bの、（a)は斜視図、（ｂ）は平面図、（ｃ）は前面側面図、（ｄ）は左側面図、を示す。
【図５】支持体Ｂの概念図を示す。
【図６】支持体Ｂにポリ袋を装着する状況を示す。
【図７】本発明のゴミ箱をティッシュボックスの販売促進用グッズとして使用する例を示す。
【発明を実施するための形態】
【００１０】
以下、本発明を実施するための最良の形態に付いて説明する。本発明に係るティッシュボックス支持体Ｂ付きゴミ箱の構成は、市販のティッシュボックス（例：横幅約240ミリ、奥行き約116ミリ、高さ約54ミリ）と、それの略等しい平面積の箱状ゴミ箱Ａと、ゴミ箱Ａ上部でティッシュボックスを底面から受ける支持体Ｂである。
【００１１】
ゴミ箱Ａは、ティッシュボックスの図１の１（横幅方向）と２（奥行き方向）を数ミリ長くした平面積とし、高さに付いては、ティッシュボックス１箱分の使用済みペーパーを少し圧縮すれば溜められる高さとしており、これはティッシュボックス２箱を重ねた高さ（１２０ミリから１５０ミリ）に相当する。ティッシュボックスを傾斜させる側のゴミ箱Ａの横幅方向の側面を、図３の５のように上面から内側に折り込み、傾斜させるティッシュボックスの側面が当たらないようにして、更に支持体Ｂに沿って上方へ直角に折り曲げ、ゴミ箱内部を見えない様にする。
【００１２】
支持体Ｂは、ゴミ箱Ａ上面から内側に接して嵌めこみ、ティッシュボックスが少し弾んでも落ちない程度の深さにして底面を下側から支持する。傾斜さす側の横幅方向の側面からティッシュボックスの略１／５を緩嵌する箱状部Ｃ（図４の６）と、ゴミ箱Ａの左右及び前面の壁に係着する３面とティッシュボックスを受ける１５ミリから２０ミリ程度の幅面以外は開口された底面の４面の箱状部Ｄ（図４の８，９，１０）とからなる支持体を一体で形成する。支持体Ｂの固定は、ゴミ箱Ａの左右である奥行き方向の両側面と、前面である傾斜さす側とは反対側の横幅方向の側面に、支持体Ｂを吊るす為に設けた折り返しの部分（図４の９、１０）をゴミ箱の側面に被せ（図４の１１ａ，１１ｂ、１２、太線１３ａ，１３ｂ，１３ｃ，はゴミ箱Ａの側板）て、その折り返しの３面が接する２つの角部分を接合すると、ゴミ箱Ａ側面に対して支持体Ｂが内外面から接しているので緩嵌した状態になり固定する。従って、ティッシュボックスの底面の約７０％の部分には支持体Ｂは無く空間でありゴミ投入口になる。
【００１３】
本発明の最も重要な要素である支持体Ｂに載置されたティッシュボックスの傾斜は、箱状部ＣとＤ（図４の７と９）の境目に下方に屈折が可能な折り目（図４の８）を付け、そこを支点（図５の１４）にティッシュボックスを保持している箱状部Ｃと共に滑らかに傾かせ始めて大きく傾斜させて図５の１５で受ける仕組みである。折れ目の位置は、小さな力で傾かせて最適な傾斜角度にする上で重要であり、大き過ぎると重心が偏りゴミ箱Ａが倒れ、小さ過ぎると投入口が十分確保できない事になるので、折れ目の位置と、傾斜さす側のゴミ箱Ａ側面の内側への折り込み位置（図５の１５）で最適傾斜角度を設定する。ゴミ箱が倒れない為には、ティッシュボックスの重心である対角線の交差点Ｇ（図の５の１８）がゴミ箱Ａの後ろ側面（図５の１９）より内側の位置に在る事が必要である。また、ゴミ投入口を最大にする為には、傾斜したティッシュボックスの下部（図５の１７の太線部分）の過半をゴミ箱Ａの後ろ側面より外側へ出し、ティッシュボックスの重心をゴミ箱Ａの後ろ側面へ最も近付けた位置で最大になる。そこで、ティッシュボックスのペーパー量の変化や傾斜時にペーパーが内部で移動する等の変動要因を考慮して、最適な傾斜角度は略７５度としている。尚、市販のティッシュボックスはペーパー収納量等で高さが異なるが、この傾斜角度を維持すれば問題は無い。
【００１４】
ゴミ箱Ａと支持体Ｂの素材は板紙かプラスチックが適しているが、板紙を使用する場合は内面にポリ袋を装着して使用するのが望ましく、図６の２０のように支持体Ｂにポリ袋（図６の２１、一点鎖線で表示）を引っかける所を設ける。
【実施例】
【００１５】
本発明の実施例に係るティッシュボックス支持体付きゴミ箱は、図３に示すゴミ箱Aと図４に示す支持体Bで構成されるものである。ゴミ箱Aは箱状でティッシボックスと略等しい平面積を有し、横幅方向の側面にティッシュボックスを傾斜さす為の逃げと受けの機能を持たせている。支持体Bはゴミ箱Aの上部から内側へ嵌めこみゴミ箱Aの側板に固定し、ティッシュボックスを載置し傾斜させて上方にゴミ投入口を開閉させる機能を持たせている。
【００１６】
ゴミ箱Aの上部に水平に載置されているティッシュボックスをゴミ箱Aの容積の減少を抑えつつ最大限度に傾斜させる為に、横幅方向の後ろ側面の折り込み位置（図５の１６）に傾斜させるティッシュボックスの下部（図５の１７）の過半を乗せて、該側面より外側へ出して受けることでティッシュボックスの傾斜角度を最適にしている。ゴミ箱の高さは、コンパクトな形態にする為に、ティッシュボックス１箱分の使用済みペーパーを蓋等で少し圧縮すれば溜められる容積にしている。
【００１７】
ティッシュボックスを載置する支持体Bの箱状部CとDは折り目（図４の７a,7b）で繋がっており一体であるが、折り目を境にして機能が別になる仕組みである。箱状部Ｃ（図４の６）ではゴミ投入の開口部を大きくする為にティッシュボックスの奥行き方向の幅の略１/5を緩嵌させ、折り目から滑らかに傾斜させると同時に弾みを吸収する役割をする。箱状部D部（図４の８，９，１０）はゴミ箱Aの左右と前面の側板に折り返し部分（図４の９，１０）を被せてその３面を結合しゴミ箱Aに固定して、図４の８a,８ｂでティッシュボックスの荷重を受ける役割をする。
【産業上の利用可能性】
【００１８】
本発明は、設置面積が最小で、ゴミ箱に蓋をする機能があるので清潔であり、紙素材の場合は美観の優れているので、机上や枕元、病室等に置いて頻繁に使う場面では特に効果を発揮するものである。また、支持体上に１箱載置されゴミ箱内に２箱が収納出来る（図７）ので、販売促進用のグッズとして活用する事が出来る。
【符号の説明】
【００１９】
1、横幅方向
２、奥行き方向
３、ティッシュボックス
４、ゴミ箱の中
５、横幅方向の後ろ面の内部へ折り返し部
６、箱状部Ｃ
７、（７ａ，７ｂ）折り目
８、（８ａ，８ｂ）箱状部Ｄのティッシュボックスを受ける底面
９、（９ａ，９ｂ）箱状部Ｄのゴミ箱Ａの側面に被せて吊るし固定するための左右の折り返し部
１０、箱状部Ｄのゴミ箱Ａ側面に被せて吊るして固定するための前面の折り返し部
１１、（１１ａ，１１ｂ）支持体Ｂの折り返し部分をゴミ箱Ａの左右の側板（太線１３ａ，１３ｂ）に被せた概念図
１２、支持体Ｂの折り返し部分をゴミ箱Ａの前面の側板（太線１３ｃ）に被せた概念図
１３、（１３ａ，１３ｂ，１３ｃ）ゴミ箱Ａの左右側板及び前面側板
１４、ティッシュボックスの傾斜角度
１５、折り目の位置
１６、折り込みの高さ位置
１７、ティッシュボックスの高さ
１８、ティッシュボックスの重心
１９、ゴミ箱Ａの後面
２０、ポリ袋を引っかける折り返し
２１、ポリ袋
【図１】
2012148901.tif 000003
【図２】
2012148901.tif 000004
【図３】
2012148901.tif 000005
【図４】
2012148901.tif 000006
【図５】
2012148901.tif 000007
【図６】
2012148901.tif 000008
【図７】
2012148901.tif 000009